(57)【要約】【課題】監視対象設備近傍の操作場所に応じて当該設備に関連する監視画面を自動表示するタブレット監視端末を得る。【解決手段】タブレット監視端末１は、監視対象設備の盤記号・盤名称をカメラ１ｅで撮影し、撮影画像を光学式文字読取装置１ｆにより文字列に変換し、次いで、予め作成された盤記号・盤名称とこれに関連する監視画面を対応付けた監視画面属性表１ｄを用いて、表示制御部１ａにより、変換した文字列に対応する監視画面を特定し、この特定した監視画面のデータをＷＥＢブラウザ１ｇを介してＷＥＢサーバ２から取得し、表示装置１ｂに監視画面を表示するようにした。【選択図】図１
2014153734.tif 000002
【特許請求の範囲】
【請求項１】
サーバによって提供される監視対象設備の監視画面を表示するタブレット監視端末であって、
監視対象設備の盤記号または盤名称と、これに関連する監視画面を識別する監視画面ＩＤとを対応付け、記憶装置に格納された監視画面属性表、
監視対象設備の盤記号または盤名称を撮像する撮像部、
この撮像部により撮像された画像から文字を読み取る文字読取部、
及びこの文字読取部により読み取られた文字に該当する盤記号または盤名称とこれに関連する監視画面ＩＤとを上記監視画面属性表を用いて特定し、この特定した監視画面ＩＤにより識別される監視画面データを上記サーバから取得し、表示装置に表示する表示制御部を備えたことを特徴とするタブレット監視端末。
【請求項２】
サーバによって提供される監視対象設備の監視画面を表示するタブレット監視端末であって、
監視対象設備の座標上の位置情報と、この位置情報に関連する監視画面を識別する監視画面ＩＤとを対応付け、記憶装置に格納された監視画面属性表、
タブレット監視端末の位置情報を取得するＧＰＳ部、
及びこのＧＰＳ部により取得された位置情報に関連する監視画面ＩＤを上記監視画面属性表を用いて特定し、この特定した監視画面ＩＤにより識別される監視画面データを上記サーバから取得し、表示装置に表示する表示制御部を備えたことを特徴とするタブレット監視端末。
【請求項３】
サーバによって提供される監視対象設備の監視画面を表示するタブレット監視端末であって、
無線アクセスポイントと、この無線アクセスポイントに関連する監視画面を識別する監視画面ＩＤとを対応付け、記憶装置に格納された監視画面属性表、
タブレット監視端末に対し、最も強度の強い無線アクセスポイントを検出するネットワーク検出部、
及びこのネットワーク検出部により検出された最も強度の強い無線アクセスポイントに関連する監視画面ＩＤを上記監視画面属性表を用いて特定し、この特定した監視画面ＩＤにより識別される監視画面データを上記サーバから取得し、表示装置に表示する表示制御部を備えたことを特徴とするタブレット監視端末。
【請求項４】
監視対象設備の盤記号または盤名称と、表示すべきトレンドグラフを識別するトレンドグラフＩＤとを対応付け、記憶装置に格納されたトレンドグラフ属性表を備え、
上記表示制御部は、上記文字読取部により読み取られた文字に該当する盤記号または盤名称とこれに対応するトレンドグラフＩＤとを上記トレンドグラフ属性表を用いて特定し、この特定したトレンドグラフＩＤにより識別されるトレンドグラフデータを上記サーバから取得し、上記表示装置に表示することを特徴とする請求項１記載のタブレット監視端末。
【請求項５】
監視対象設備の座標上の位置情報と、表示すべきトレンドグラフを識別するトレンドグラフＩＤとを対応付け、記憶装置に格納されたトレンドグラフ属性表を備え、
上記表示制御部は、上記ＧＰＳ部により取得された位置情報に対応するトレンドグラフＩＤを上記トレンドグラフ属性表を用いて特定し、この特定したトレンドグラフＩＤにより識別されるトレンドグラフデータを上記サーバから取得し、上記表示装置に表示することを特徴とする請求項２記載のタブレット監視端末。
【請求項６】
無線アクセスポイントと、表示すべきトレンドグラフを識別するトレンドグラフＩＤとを対応付け、記憶装置に格納されたトレンドグラフ属性表を備え、
上記表示制御部は、上記ネットワーク検出部により検出された最も強度の強い無線アクセスポイントに対応するトレンドグラフＩＤを上記トレンドグラフ属性表を用いて特定し、この特定したトレンドグラフＩＤにより識別されるトレンドグラフデータを上記サーバから取得し、上記表示装置に表示することを特徴とする請求項３記載のタブレット監視端末。
【請求項７】
上記表示制御部により複数の監視画面ＩＤが特定された場合には、特定された複数の監視画面ＩＤにより識別される複数の監視画面を選択可能にメニュー表示することを特徴とする請求項１〜請求項６のいずれか一項記載のタブレット監視端末。
【発明の詳細な説明】
【技術分野】
【０００１】
この発明は、プラント設備に関連する監視画面を自動表示するタブレット（可搬）監視端末に関するものである。
【背景技術】
【０００２】
従来のタブレット監視端末においては、プラントの現場で使用する場合でも監視室の卓上操作と同じ手順で画面を表示する必要があるため、素早い操作ができず、作業が非効率であった。
特許文献１では、携帯端末で、監視対象の現場盤から赤外光からなるＩＤ信号を受信し、そのＩＤ信号を基にデータベースからＩＤ信号に該当する監視情報を呼び出すことで、監視対象の機器の監視情報を呼び出す際の操作手順を減らしていた。
【先行技術文献】
【特許文献】
【０００３】
【特許文献１】特開平９―２２２９１６号公報（第３〜４頁、第１図）
【発明の概要】
【発明が解決しようとする課題】
【０００４】
従来の携帯用保守端末は、現場で持ち歩き可能な大きさのため、画面などの表示部の大きさが充分ではなく、また、持ち歩きながら操作するため、操作性も良くない等の状況から、プラントの全機器の中から、該当現場の情報を選び出すことが困難であり、非効率であった。
特許文献１のものでは、監視対象の現場盤全てに赤外光の投・受光器を設置しなければならないという問題があった。
【０００５】
この発明は、上述のような課題を解決するためになされたものであり、監視対象設備近傍の操作場所に応じて当該設備に関連する監視画面を自動表示するタブレット監視端末を得ることを目的とする。
【課題を解決するための手段】
【０００６】
この発明に係わるタブレット監視端末においては、サーバによって提供される監視対象設備の監視画面を表示するタブレット監視端末であって、監視対象設備の盤記号または盤名称と、これに関連する監視画面を識別する監視画面ＩＤとを対応付け、記憶装置に格納された監視画面属性表、監視対象設備の盤記号または盤名称を撮像する撮像部、この撮像部により撮像された画像から文字を読み取る文字読取部、及びこの文字読取部により読み取られた文字に該当する盤記号または盤名称とこれに関連する監視画面ＩＤとを監視画面属性表を用いて特定し、この特定した監視画面ＩＤにより識別される監視画面データをサーバから取得し、表示装置に表示する表示制御部を備えたものである。
【発明の効果】
【０００７】
この発明によれば、サーバによって提供される監視対象設備の監視画面を表示するタブレット監視端末であって、監視対象設備の盤記号または盤名称と、これに関連する監視画面を識別する監視画面ＩＤとを対応付け、記憶装置に格納された監視画面属性表、監視対象設備の盤記号または盤名称を撮像する撮像部、この撮像部により撮像された画像から文字を読み取る文字読取部、及びこの文字読取部により読み取られた文字に該当する盤記号または盤名称とこれに関連する監視画面ＩＤとを監視画面属性表を用いて特定し、この特定した監視画面ＩＤにより識別される監視画面データをサーバから取得し、表示装置に表示する表示制御部を備えたので、監視対象設備の盤記号または盤名称を撮像部で撮像するだけで、盤記号または盤名称に対応した監視画面を表示可能であり、現場作業者の作業手数を減らすことができる。
【図面の簡単な説明】
【０００８】
【図１】この発明の実施の形態１による画面表示システムを示す概略構成図である。
【図２】この発明の実施の形態１による画面表示システムの監視画面属性表の内部構成を示す図である
【図３】この発明の実施の形態１による画面表示システムのＷＥＢ監視画面属性表の内部構成を示す図である
【図４】この発明の実施の形態１による画面表示システムの表示制御部の処理を示すフローチャートである。
【図５】この発明の実施の形態２による画面表示システムを示す概略構成図である。
【図６】この発明の実施の形態２による画面表示システムの監視画面属性表の内部構成を示す図である。
【図７】この発明の実施の形態２による画面表示システムの表示制御部の処理を示すフローチャートである。
【０００９】
【図８】この発明の実施の形態３による画面表示システムを示す概略構成図である。
【図９】この発明の実施の形態３による画面表示システムの監視画面属性表の内部構成を示す図である。
【図１０】この発明の実施の形態３による画面表示システムの表示制御部の処理を示すフローチャートである。
【図１１】この発明の実施の形態４による監視画面属性表（実施の形態１対応）とＷＥＢ監視画面属性表の内部構成を示す図である。
【図１２】この発明の実施の形態４による画面表示システムの表示制御部の処理を示すフローチャート（実施の形態１対応）である。
【図１３】この発明の実施の形態４による選択画面例を示す図である。
【図１４】この発明の実施の形態４による監視画面属性表（実施の形態２対応）とＷＥＢ監視画面属性表の内部構成を示す図である。
【図１５】この発明の実施の形態４による画面表示システムの表示制御部の処理を示すフローチャート（実施の形態２対応）である。
【図１６】この発明の実施の形態４による監視画面属性表（実施の形態３対応）とＷＥＢ監視画面属性表の内部構成を示す図である。
【図１７】この発明の実施の形態４による画面表示システムの表示制御部の処理を示すフローチャート（実施の形態３対応）である。
【００１０】
【図１８】この発明の実施の形態５による画面表示システム（実施の形態１対応）を示す概略構成図である。
【図１９】この発明の実施の形態５によるトレンドグラフ属性表（実施の形態１対応）の内部構成を示す図である。
【図２０】この発明の実施の形態５によるＷＥＢトレンドグラフ画面属性表の内部構成を示す図である。
【図２１】この発明の実施の形態５による画面表示システムの表示制御部の処理を示すフローチャート（実施の形態１対応）である。
【図２２】この発明の実施の形態５による監視画面とトレンドグラフの選択ボタン画面表示例を示す図である。
【図２３】この発明の実施の形態５による画面表示システム（実施の形態２対応）を示す概略構成図である。
【図２４】この発明の実施の形態５によるトレンドグラフ属性表（実施の形態２対応）の内部構成を示す図である。
【図２５】この発明の実施の形態５による画面表示システムの表示制御部の処理を示すフローチャート（実施の形態２対応）である。
【図２６】この発明の実施の形態５による画面表示システム（実施の形態３対応）を示す概略構成図である。
【図２７】この発明の実施の形態５によるトレンドグラフ属性表（実施の形態３対応）の内部構成を示す図である。
【図２８】この発明の実施の形態５による画面表示システムの表示制御部の処理を示すフローチャート（実施の形態３対応）である。
【発明を実施するための形態】
【００１１】
実施の形態１．
図１は、この発明の実施の形態１による画面表示システムを示す概略構成図である。
図１において、画面表示システムは、タブレット監視端末１と、このタブレット監視端末１に無線接続されるＷＥＢサーバ２（サーバ）とから構成されている。
タブレット監視端末１は、それぞれ後述する表示制御部１ａ、表示装置１ｂ、入力装置１ｃ、監視画面属性表１ｄ、カメラ１ｅ（撮像部）、光学式文字読取装置（ＯＣＲ）１ｆ（文字読取部）、ＷＥＢブラウザ１ｇから構成される。
【００１２】
表示制御部１ａは、タブレット監視端末１の各部を制御する制御手段であり、ＣＰＵ等により構成される。表示装置１ｂは、液晶ディスプレイ等の各種情報を表示する表示手段である。入力装置１ｃは、タッチパネルの作業者が各種情報を入力するための入力手段である。監視画面属性表１ｄは、電子記録された盤記号・盤名称とそれに対応する監視画面を関連づけた表で、ハードディスク等の情報記憶手段（記憶装置）に格納している。タブレット監視端末１内蔵のカメラ１ｅを使用し、監視対象設備の盤に貼り付けられている盤記号・盤名称の撮影を行い、光学式文字読取装置（ＯＣＲ）１ｆにより撮影した盤記号・盤名称の画像を文字列に変換する。変換した文字列は、監視画面属性表１ｄの盤記号・盤名称と対応づけることができる。
【００１３】
ＷＥＢサーバ２は、中央監視室と同期した監視画面の画面情報のデータ２ａと、図３で後述するＷＥＢ監視画面属性表２ｂを有している。この画面情報のデータ２ａは、タブレット監視端末１からの要求に対し、ＷＥＢ監視画面属性表２ｂを基にタブレット監視端末１へ送信される。
【００１４】
タブレット監視端末１は、ＷＥＢブラウザ１ｇを利用して、ＷＥＢサーバ２から受信した監視用ＷＥＢコンテンツ（監視画面）を表示装置１ｂに表示する。
この構成により、タブレット監視端末１は、遠隔監視画面を表示するプログラムを実行することができる機能を有する。
【００１５】
図２は、この発明の実施の形態１による画面表示システムの監視画面属性表の内部構成を示す図である。
図２において、監視画面属性表１ｄは、盤記号３ａ及び盤名称３ｂを、監視画面ＩＤ３ｃとを紐付けしている。
【００１６】
図３は、この発明の実施の形態１による画面表示システムのＷＥＢ監視画面属性表の内部構成を示す図である。
図３において、ＷＥＢ監視画面属性表２ｂは、監視画面ＩＤ４ａと、表示する画面情報のデータ２ａのアドレスである監視画面情報のアドレス４ｂとを紐付けて保持している。
【００１７】
次に、動作について説明する。
以下に、タブレット監視端末１の表示制御部１ａの動作について図４のフローチャートを用いて説明する。
Ｓｔｅｐ１で、タブレット監視端末１内蔵のカメラ１ｅを用いて、盤記号、盤名称を撮影する。
Ｓｔｅｐ２で、光学式文字読取装置（ＯＣＲ）１ｆによって、カメラ１ｅで撮影した盤記号、盤名称をＣＰＵで認識可能な文字列に変換する。
Ｓｔｅｐ３で、光学式文字読取装置（ＯＣＲ）１ｆで変換した文字列と監視画面属性表１ｄの盤記号３ａ、盤名称３ｂで一致するものを検索する。
Ｓｔｅｐ４で、監視画面属性表１ｄの監視画面ＩＤ３ｃを使用して、ＷＥＢサーバ２のＷＥＢ監視画面属性表２ｂから一致する監視画面ＩＤ４ａを検索し、紐付けられている画面情報のデータのアドレス、監視画面情報のアドレス４ｂを取得する。タブレット監視端末１は、画面情報のデータのアドレスから画面情報のデータを得て、ＷＥＢブラウザ１ｇを利用して表示装置１ｂで該当する監視画面を表示する。
【００１８】
実施の形態１によれば、現場作業者は盤記号、盤名称をタブレット監視端末内蔵のカメラで撮影するだけで、盤記号、盤名称に対応した監視画面を即時に表示可能である。
【００１９】
実施の形態２．
図５は、この発明の実施の形態２による画面表示システムを示す概略構成図である。
図５において、１、１ａ〜１ｃ、１ｇ、２、２ａ、２ｂは図１におけるものと同一のものである。図５では、タブレット監視端末１にＧＰＳ１ｈ（ＧＰＳ部）とモーションセンサ１ｊを設けている。図５の監視画面属性表５ｄは、二次元的な座標上にどのような機器・盤が配置されているかを記した位置情報とそれに対応する監視画面を紐付けている表であり、ハードディスク等の情報記憶手段に格納されている。タブレット監視端末１に内蔵されているＧＰＳ１ｈにより運転員の位置情報を取得する。モーションセンサ１ｊは、運転員の動きを感知するセンサである。
【００２０】
図６は、この発明の実施の形態２による画面表示システムの監視画面属性表の内部構成を示す図である。
図６において、監視画面属性表５ｄは、二次元的な座標上にどのような機器・盤が配置されているかを記した位置情報３ｄと、監視画面を識別するための監視画面ＩＤ３ｃとを対応させている。
なお、ＷＥＢ監視画面属性表２ｂは図３におけるものと同じである。
【００２１】
次に、動作について説明する。
以下に、タブレット監視端末１の表示制御部１ａの動作について、図７のフローチャートを用いて説明する。
Ｓｔｅｐ１１で、ＧＰＳ１ｈにより操作員の位置情報を取得する。
Ｓｔｅｐ１２で、取得した位置情報から監視画面属性表５ｄの位置情報３ｄと一致するものを検索する。
Ｓｔｅｐ１３で、監視画面属性表５ｄの位置情報３ｄに対応する監視画面ＩＤ３ｃを使用して、ＷＥＢサーバ２のＷＥＢ監視画面属性表２ｂから一致する監視画面ＩＤ４ａを検索し、紐付けられている監視画面情報のアドレス４ｂを取得する。
Ｓｔｅｐ１４で、タブレット監視端末１のＷＥＢブラウザ１ｇを利用して表示装置１ｂでアドレスに該当する監視画面を表示する。
Ｓｔｅｐ１５で、モーションセンサ１ｊにより、操作員の移動を感知した場合は、Ｓｔｅｐ１１に戻る。
【００２２】
実施の形態２によれば、操作員の位置をＧＰＳにより把握するので、操作場所に応じた監視画面を即時に表示可能である。
【００２３】
実施の形態３．
図８は、この発明の実施の形態３による画面表示システムを示す概略構成図である。
図８において、１、１ａ〜１ｃ、１ｇ、２、２ａ、２ｂは図１におけるものと同一のものである。図８のタブレット監視端末１にはネットワーク検出装置１ｋ（ネットワーク検出部）が設けられている。
ネットワーク検出装置１ｋは、タブレット監視端末１に対して最も強度の強い無線ＬＡＮアクセスポイント（無線アクセスポイント）を検出する。図８の監視画面属性表６ｄは、検出した無線ＬＡＮアクセスポイントとそれに対応する監視画面の情報を紐付けた表であり、ハードディスク等の情報記憶手段に格納されている。
【００２４】
図９は、この発明の実施の形態３による画面表示システムの監視画面属性表の内部構成を示す図である。
図９において、監視画面属性表６ｄは、タブレット監視端末１に対して最も強度の強い無線ＬＡＮアクセスポイントであるアクセスポイント３ｅと監視画面ＩＤ３ｃとを対応付けている。
なお、ＷＥＢ監視画面属性表２ｂは図３におけるものと同じである。
【００２５】
次に、動作について説明する。
以下にタブレット監視端末１の表示制御部１ａの動作について、図１０のフローチャートを用いて説明する。
Ｓｔｅｐ２１で、ネットワーク検出装置１ｋにより操作員の操作場所に応じて電波強度の強い無線ＬＡＮアクセスポイントを検出する。
Ｓｔｅｐ２２で、検出した無線ＬＡＮアクセスポイントと監視画面属性表６ｄのアクセスポイント３ｅで一致するものを検索する。
Ｓｔｅｐ２３で、監視画面属性表６ｄのアクセスポイント３ｅに対応する監視画面ＩＤ３ｃを使用して、ＷＥＢサーバ２のＷＥＢ監視画面属性表２ｂから一致する監視画面ＩＤ４ａを検索し、紐付けられている監視画面情報のアドレス４ｂを取得する。
Ｓｔｅｐ２４で、タブレット監視端末１のＷＥＢブラウザ１ｇを利用して表示装置１ｂで監視画面情報のアドレス４ｂに該当する監視画面を表示する。
Ｓｔｅｐ２５で、検知した無線ＬＡＮアクセスポイントの変更で運転員の移動を感知した場合は、Ｓｔｅｐ２１へ戻る。
【００２６】
実施の形態３によれば、操作場所に応じて電波強度の強い無線ＬＡＮアクセスポイントを検出し、アクセスポイントに紐付けされた監視画面を表示するので、タブレット監視端末を操作する操作員は、普段使い慣れた監視画面を即時に表示可能である。
【００２７】
実施の形態４．
実施の形態４は、複数関連する画面を紐付けることで運転員による画面選択を可能とするようにしたものである。
図１１は、この発明の実施の形態４による監視画面属性表（実施の形態１対応）とＷＥＢ監視画面属性表の内部構成を示す図である。
図１１において、１ｄ、３ａ〜３ｃは図２におけるものと、２ｂ、４ａ、４ｂは図３におけるものとそれぞれ同一のものである。図１１では、同じ盤記号３ａ・盤名称３ｂに対して複数の監視画面ＩＤ３ｃが対応付けられている。
【００２８】
図１３は、この発明の実施の形態４による選択画面例を示す図である。
図１３において、運転員に選択を求める際の監視画面の表示例である。画面には複数の監視画面Ａ、Ｂ、Ｃが表示され、選択されるようになっている。
【００２９】
図１４は、この発明の実施の形態４による監視画面属性表（実施の形態２対応）とＷＥＢ監視画面属性表の内部構成を示す図である。
図１４において、３ｃ、３ｄ、５ｄは図６におけるものと、２ｄ、４ａ、４ｂは図３におけるものとそれぞれ同一のものである。図１４では、同じ位置情報３ｄに対して複数の監視画面ＩＤ３ｃが対応付けられている。
【００３０】
図１６は、この発明の実施の形態４による監視画面属性表（実施の形態３対応）とＷＥＢ監視画面属性表の内部構成を示す図である。
図１６において、３ｃ、３ｅ、６ｄは図９におけるものと、２ｄ、４ａ、４ｂは図３におけるものとそれぞれ同一のものである。図１６では、同じアクセスポイント３ｅに対して複数の監視画面ＩＤ３ｃが対応付けられている。
【００３１】
次に、実施の形態４の運転員による画面選択を可能とする機能について、図に基づいて説明する。
まず、実施の形態１に適用した場合の画面選択機能について、図１１、図１２、図１３を用いて説明する。
実施の形態４では、監視画面属性表１ｄの同一の盤記号３ａ・盤名称３ｂに対して複数の監視画面ＩＤ３ｃを割り付けた場合、どちらの監視画面を表示させるか選択可能な画面メニューを表示する機能である（図１１）。
【００３２】
図１２を用いて、表示制御部１ａの動作について説明する。
図１２のｓｔｅｐ１〜ｓｔｅｐ５については図４における処理と同じであり、その説明を省略する。図１２では、ｓｔｅｐ３の後にｓｔｅｐ６、７が挿入されている。
ｓｔｅｐ３で検索した盤記号・盤名称に対して、複数の監視画面ＩＤが割り付けられている場合（ｓｔｅｐ６、図１１）、図１３のように運転員に表示する監視画面の選択を求めるメニュー画面を表示する（ｓｔｅｐ７）。続くｓｔｅｐ４では、運転員により指定された監視画面ＩＤを使用して、ＷＥＢサーバのＷＥＢ監視画面属性表から一致するものを検索し、紐付けられている画面情報を取得する。
【００３３】
次いで、実施の形態２に適用した場合の画面選択機能について、図１４、図１５を用いて説明する。
実施の形態４では、監視画面属性表５ｄの同一の位置情報３ｄに対して複数の監視画面ＩＤ３ｃを割り付けた場合、どちらの監視画面を表示させるか選択可能な画面メニューを表示する機能についてのものである（図１４）。
次に、図１５のフローチャートを用いて、表示制御部１ａの動作について説明する。
図１５のｓｔｅｐ１１〜ｓｔｅｐ１５は図７における処理と同じであり、その説明を省略する。図１５では、ｓｔｅｐ１２の後にｓｔｅｐ１６、１７が配置されている。
ｓｔｅｐ１２で検索した位置情報３ｄに対して複数の監視画面ＩＤ３ｃが割り付けられている場合（ｓｔｅｐ１６、図１４）、図１３のように運転員に表示する監視画面の選択を求めるメニュー画面を表示する（ｓｔｅｐ１７）。Ｓｔｅｐ１３では、運転員により指定された監視画面ＩＤを使用してＷＥＢサーバのＷＥＢ監視画面属性表から一致するものを検索し、紐付けられている画面情報を取得する。
【００３４】
次いで、実施の形態３に適用した場合の画面選択機能について、図１６、図１７を用いて説明する。
実施の形態４では、監視画面属性表６ｄの同一のアクセスポイント３ｅに対して複数の監視画面ＩＤ３ｃを割り付けた場合、どちらの監視画面を表示させるか選択可能な画面メニューを表示する機能である（図１６）。
次に、図１７のフローチャートを用いて、表示制御部１ａの動作について説明する。
図１７のｓｔｅｐ２１〜ｓｔｅｐ２５は図１０における処理と同じであり、その説明を省略する。図１７では、ｓｔｅｐ２２の後にｓｔｅｐ２６、２７が配置されている。
ｓｔｅｐ２２で検索したアクセスポイント３ｅに対して複数の監視画面ＩＤ３ｃが割り付けられている場合（ｓｔｅｐ２６、図１６）、図１３のように運転員に表示する監視画面の選択を求めるメニュー画面を表示する（ｓｔｅｐ２７）。Ｓｔｅｐ２３では、運転員により指定された監視画面ＩＤを使用してＷＥＢサーバのＷＥＢ監視画面属性表から一致するものを検索し、紐付けられている画面情報を取得する。
【００３５】
実施の形態４によれば、複数の関連する監視画面が存在する場合は、画面メニューを表示し、選択させることで、その状況に応じた適切な監視画面を即時に表示可能である。
【００３６】
実施の形態５．
実施の形態５では、監視画面だけでなくトレンドグラフも表示する機能を追加したものである。
図１８は、この発明の実施の形態５による画面表示システム（実施の形態１対応）を示す概略構成図である。
図１８において、１、１ａ〜１ｇ、２、２ａ、２ｂは図１におけるものと同一のものである。図１８ではタブレット監視端末１に図１９で後述するトレンドグラフ属性表２０ａを設け、ＷＥＢサーバ２に図２０で後述するＷＥＢトレンドグラフ画面属性表２０ｂを設けている。
【００３７】
図１９は、この発明の実施の形態５によるトレンドグラフ属性表（実施の形態１対応）の内部構成を示す図である。
図１９において、２０ａは図１８におけるものと、３ａ、３ｂは図２におけるものとそれぞれ同一のものである。図１９では、トレンドグラフを識別するトレンドグラフＩＤ３０ｃが盤記号３ａ、盤名称３ｂに対応付けられている。
【００３８】
図２０は、この発明の実施の形態５によるＷＥＢトレンドグラフ画面属性表の内部構成を示す図である。
図２０において、２０ｂは図１８におけるものと、４ｂは図３におけるものとそれぞれ同一のものである。図２０では、トレンドグラフを識別するトレンドグラフＩＤ４０ａがトレンドグラフ情報のアドレス４０ｂに対応付けられている。
【００３９】
図２２は、この発明の実施の形態５による監視画面とトレンドグラフの選択ボタン画面表示例を示す図である。
図２２において、監視画面ボタン５０を押下すると監視画面が表示され、トレンドグラフボタン６０を押すとトレンドグラフが表示される。
【００４０】
図２３は、この発明の実施の形態５による画面表示システム（実施の形態２対応）を示す概略構成図である。
図２３において、１、１ａ〜１ｃ、１ｇ、１ｈ、１ｊ、２、２ａ、２ｂ、５ｄは図５におけるものと同一のものである。図２３ではタブレット監視端末１に図２４で後述するトレンドグラフ属性表２１ａを設け、ＷＥＢサーバ２に図２０のＷＥＢトレンドグラフ画面属性表２０ｂを設けている。
【００４１】
図２４は、この発明の実施の形態５によるトレンドグラフ属性表（実施の形態２対応）の内部構成を示す図である。
図２４において、２１ａは図２３におけるものと、３ｄは図６におけるものとそれぞれ同一のものである。図２４では、トレンドグラフを識別するトレンドグラフＩＤ３０ｃが、二次元的な座標上にどのような機器・盤が配置されているかを記した位置情報３ｄに対応付けられている。
【００４２】
図２６は、この発明の実施の形態５による画面表示システム（実施の形態３対応）を示す概略構成図である。
図２６において、１、１ａ〜１ｃ、１ｇ、１ｋ、２、２ａ、２ｂ、６ｄは図８におけるものと同一のものである。図２６ではタブレット監視端末１に図２７で後述するトレンドグラフ属性表２２ａを設け、ＷＥＢサーバ２に図２０のＷＥＢトレンドグラフ画面属性表２０ｂを設けている。
【００４３】
図２７は、この発明の実施の形態５によるトレンドグラフ属性表（実施の形態３対応）の内部構成を示す図である。
図２７において、２２ａは図２６におけるものと、３ｅは図９におけるものとそれぞれ同一のものである。図２７では、トレンドグラフを識別するトレンドグラフＩＤ３０ｃが、タブレット監視端末１に対して最も強度の強い無線ＬＡＮアクセスポイントであるアクセスポイント３ｅに対応付けられている。
【００４４】
次に、実施の形態５による、監視画面だけでなくトレンドグラフも表示する機能について、図に基づいて説明する。
まず、実施の形態１に適用した場合のトレンドグラフの表示機能について、図１８、図１９、図２０、図２１を用いて説明する。
図１８における図１との相違点は、タブレット監視端末１の画面表示システムにトレンドグラフ属性表２０ａ、ＷＥＢサーバ２にＷＥＢトレンドグラフ画面属性表２０ｂを新たに設けている点である。このトレンドグラフ属性表２０ａは、電子記録された盤記号・盤名称とそれに対応するトレンドグラフを紐付けた表で、ハードディスク等の情報記憶手段に格納されている。
また、ＷＥＢサーバに設けたＷＥＢトレンドグラフ画面属性表（図２０）は図１９のトレンドグラフＩＤに対応したトレンドデータ（トレンド情報）を一定周期ごとに格納しているもののアドレスを紐付けて保持している。
この構成により、タブレット監視端末１は、トレンドグラフを表示するプログラムを実行することができる機能を有する。
【００４５】
次に、図２１のフローチャートを用いて、表示制御部１ａの動作について説明する。
図２１のｓｔｅｐ１〜ｓｔｅｐ７は図１２におけるものと同一の処理である。図２１では、ｓｔｅｐ２の次に、ｓｔｅｐ３１を設け、Ｓｔｅｐ３１で、運転員は監視画面またはトレンドグラフのどちらを表示させるのかを画面上のボタン操作により選択する（図２２）。デフォルトではどちらかが選択されている状態とする。監視画面が選択されれば（ｓｔｅｐ３２）、図１２と同様にｓｔｅｐ３以降を実行する。
今回はトレンドグラフが指定された（ｓｔｅｐ３３）と仮定し、以下の説明を行う。
【００４６】
Ｓｔｅｐ３４で、光学式文字読取装置（ＯＣＲ）１ｆで変換した文字列とトレンドグラフ属性表２０ａの盤記号・盤名称で一致するものを検索する。
Ｓｔｅｐ３５で、検索結果が１画面かどうかにより、１画面でなければ、Ｓｔｅｐ３６で、画面メニューを表示して運転員に画面を選択させる。
Ｓｔｅｐ３７で、トレンドグラフ属性表２０ａのトレンドグラフＩＤ３０ｃを使用して、ＷＥＢサーバ１のＷＥＢトレンドグラフ画面属性表２０ｂから一致するトレンドグラフ情報を検索し、紐付けられている画面情報を取得する。
Ｓｔｅｐ３８で、タブレット監視端末１のＷＥＢブラウザ１ｇを利用して表示装置１ｂでトレンドグラフの表示を行う。
【００４７】
次に、実施の形態２に適用した場合のトレンドグラフの表示機能について、図２０、図２３、図２４、図２５を用いて説明する。
図２３における図５との相違点は、タブレット監視端末１の画面表示システムにトレンドグラフ属性表２１ａ、ＷＥＢサーバ２にＷＥＢトレンドグラフ画面属性表２０ｂを新たに設けている点である。図２４では、画面表示システムに新たにトレンドグラフ属性表２１ａを設けている。このトレンドグラフ属性表２１ａは、電子記録された盤記号・盤名称とそれに対応するトレンドグラフを紐付けた表で、ハードディスク等の情報記憶手段に格納されている。また、ＷＥＢサーバ２に設けたＷＥＢトレンドグラフ画面属性表２０ｂは図２０におけるものと同じものである。
【００４８】
次に、図２５のフローチャートを用いて、表示制御部１ａの動作について説明する。
図２５のｓｔｅｐ１１〜ｓｔｅｐ１７は図１５におけるものと同一の処理である。図２５では、ｓｔｅｐ１１の次に、ｓｔｅｐ４１を設け、Ｓｔｅｐ４１で、運転員は監視画面またはトレンドグラフどちらを表示させるのかを画面上のボタン操作により選択する（図２２）。デフォルトではどちらかが選択されている状態とする。監視画面が選択されれば（ｓｔｅｐ４２）、図１５と同様にｓｔｅｐ１２以降を実行する。
今回はトレンドグラフが指定された（ｓｔｅｐ４３）と仮定し、以下の説明を行う。
【００４９】
Ｓｔｅｐ４４で、取得した位置情報とトレンドグラフ属性表内の位置情報とで一致するものを検索する。
Ｓｔｅｐ４５で、検索結果が１画面かどうかにより、１画面でなければ、Ｓｔｅｐ４６で、画面メニューを表示して運転員に画面を選択させる。
Ｓｔｅｐ４７で、トレンドグラフ属性表２１ａのトレンドグラフＩＤ３０ｃを使用して、ＷＥＢサーバ２のＷＥＢトレンドグラフ画面属性表２０ｂから一致するトレンドグラフＩＤ４０ａを検索し、紐付けられている画面情報を取得する。
Ｓｔｅｐ４８で、タブレット監視端末１のＷＥＢブラウザ１ｇを利用して表示装置１ｂでトレンドグラフの表示を行う。
Ｓｔｅｐ４９で、モーションセンサ１ｊにより操作員の移動を検知すると、Ｓｔｅｐ１１に戻る。
【００５０】
最後に実施の形態３に適用した場合のトレンドグラフの表示機能について、図２０、図２６、図２７、図２８を用いて説明する。
図２６における図８との相違点は、タブレット監視端末１の画面表示システムにトレンドグラフ属性表２２ａ、ＷＥＢサーバ２にＷＥＢトレンドグラフ画面属性表２０ｂを新たに設けている点である。このトレンドグラフ属性表２２ａは、ネットワーク検出装置１ｋにより検出した強度の強い無線ＬＡＮアクセスポイントとそれに対応するトレンドグラフを紐付けた表で、ハードディスク等の情報記憶手段に格納されている。
また、ＷＥＢサーバ２に設けたＷＥＢトレンドグラフ画面属性表２０ｂは図２０に示したものであり、図２７のトレンドグラフＩＤに対応したトレンドテデータ（トレンド情報）を一定周期ごとに格納しているアドレスを紐付けて保持している。
【００５１】
次に、図２８のフローチャートを用いて、表示制御部１ａの動作について説明する。
図２８のｓｔｅｐ２１〜ｓｔｅｐ２７は図１７におけるものと同一の処理である。図２８では、ｓｔｅｐ２１の次に、ｓｔｅｐ５１を設け、Ｓｔｅｐ５１で、運転員は監視画面またはトレンドグラフのどちらを表示させるのかを画面上のボタン操作により選択する（図２２）。デフォルトではどちらかが選択されている状態とする。監視画面が選択されれば（ｓｔｅｐ５２）、図１７と同様にｓｔｅｐ２２以降を実行する。
今回はトレンドグラフが指定された（ｓｔｅｐ５３）と仮定し、以下の説明を行う。
【００５２】
Ｓｔｅｐ５４で、検出した無線ＬＡＮアクセスポイントとトレンドグラフ属性表２２ａのアクセスポイント３ｅで一致するものを検索する。
Ｓｔｅｐ５５で、検索結果が１画面かどうかにより、１画面でなければ、Ｓｔｅｐ５６で、画面メニューを表示して運転員に画面を選択させる。
Ｓｔｅｐ５７で、トレンドグラフ属性表２２ａのトレンドグラフＩＤ３０ｃを使用して、ＷＥＢサーバ２のＷＥＢトレンドグラフ画面属性表２０ｂから一致するトレンドグラフＩＤ４０ａを検索し、紐付けられているトレンド情報を取得する。
Ｓｔｅｐ５８で、タブレット監視端末１のＷＥＢブラウザ１ｇを利用して表示装置１ｂでトレンドグラフの表示を行う。
Ｓｔｅｐ５９で、検出したアクセスポイントに変更が生じた場合には、Ｓｔｅｐ２１に戻る。
【００５３】
実施の形態５によれば、監視画面だけでなく、トレンドグラフも表示する機能を追加したので、ボタン操作するだけで、トレンドグラフを表示することができる。
【００５４】
なお、本発明は、その発明の範囲内において、各実施の形態を自由に組み合わせたり、各実施の形態を適宜、変形、省略することが可能である。
【符号の説明】
【００５５】
１  タブレット監視端末、１ａ  表示制御部、１ｂ  表示装置、１ｃ  入力装置、１ｄ，５ｄ，６ｄ  監視画面属性表、１ｅ  カメラ、１ｆ  光学式文字読取装置（ＯＣＲ）、１ｇ  ＷＥＢブラウザ、１ｊ  モーションセンサ、１ｈ  ＧＰＳ、１ｋ  ネットワーク検出装置、２  ＷＥＢサーバ、２ａ  画面情報のデータ、２ｂ  ＷＥＢ監視画面属性表、３ａ  盤記号、３ｂ  盤名称、３ｃ  監視画面ＩＤ、３ｄ  位置情報、３ｅ  アクセスポイント、４ａ  監視画面ＩＤ、４ｂ  監視画面情報のアドレス、２０ａ，２１ａ，２２ａ  トレンドグラフ属性表、２０ｂ  ＷＥＢトレンドグラフ画面属性表、３０ｃ  トレンドグラフＩＤ、４０ａ  トレンドグラフＩＤ、４０ｂ  トレンドグラフ情報のアドレス、５０  監視画面ボタン、６０  トレンドグラフボタン。
【図１】
2014153734.tif 000003
【図２】
2014153734.tif 000004
【図３】
2014153734.tif 000005
【図４】
2014153734.tif 000006
【図５】
2014153734.tif 000007
【図６】
2014153734.tif 000008
【図７】
2014153734.tif 000009
【図８】
2014153734.tif 000010
【図９】
2014153734.tif 000011
【図１０】
2014153734.tif 000012
【図１１】
2014153734.tif 000013
【図１２】
2014153734.tif 000014
【図１３】
2014153734.tif 000015
【図１４】
2014153734.tif 000016
【図１５】
2014153734.tif 000017
【図１６】
2014153734.tif 000018
【図１７】
2014153734.tif 000019
【図１８】
2014153734.tif 000020
【図１９】
2014153734.tif 000021
【図２０】
2014153734.tif 000022
【図２１】
2014153734.tif 000023
【図２２】
2014153734.tif 000024
【図２３】
2014153734.tif 000025
【図２４】
2014153734.tif 000026
【図２５】
2014153734.tif 000027
【図２６】
2014153734.tif 000028
【図２７】
2014153734.tif 000029
【図２８】
2014153734.tif 000030